(57)【要約】【課題】ＡＬＵ１８が正常に動作しているにもかかわらず、ＡＬＵ１８が正常に動作しているかの検査のために、ＤＳＰ１１を再起動すると、検査前の処理や途中データがクリアされて、再開後に最初からやり直しとなってしまう。ＤＳＰ１１を再起動することなく、ＡＬＵ１８の動作を検査できるようにする。【解決手段】ＡＬＵ１８は、第１の時間ごとにＲＡＭ１９の状態フラグをセットする状態フラグ処理部２５を実装する。ＣＰＵ３４のＤＳＰ監視処理部３７は、第２の時間（≧第１の時間）ごとに実行され、ＲＡＭ１９の状態フラグの状態を読込む。状態フラグがセット状態であれば、ＡＬＵ１８の動作は正常と判断するとともに、ＤＳＰ１１へクリア信号を送って、状態フラグをクリアする。状態フラグがクリア状態にあれば、ＡＬＵ１８の動作は異常と判断するとともに、ＤＳＰ１１へリセット信号を送って、ＤＳＰ１１を再起動する。【選択図】図１
2009271871.tif 000002
【特許請求の範囲】
【請求項１】
外部からのクリア信号によりクリアされる状態フラグを、実装済みのプログラムをＡＬＵにおいて第１の時間の経過ごとに実行することにより、セットするＤＳＰ、
前記ＤＳＰへクリア信号を送って前記ＤＳＰに前記状態フラグをクリアさせるクリア強制手段、
前記クリア強制手段がクリア信号を前記ＤＳＰへ送ってから前記第１の時間以上の第２の時間が経過した後、前記状態フラグの状態を前記ＤＳＰから読込むフラグ読込み手段、
読込んだ前記状態フラグがセット状態にあるか否かを判定する判定手段、及び
前記判定手段の判定の正否により前記ＤＳＰの動作が正常又は異常であると判断する動作判断手段、
を備えることを特徴とするＤＳＰ装備装置。
【請求項２】
前記判定手段の判定が否であるならば、前記ＤＳＰを再起動させる再起動強制手段、
を備えることを特徴とする請求項１記載のＤＳＰ装備装置。
【請求項３】
前記クリア強制手段は、前記判定手段が正と判定するごとにクリア信号を前記ＤＳＰへ送ることを特徴とする請求項１又は２記載のＤＳＰ装備装置。
【請求項４】
前記ＡＬＵはコンテンツの再生に係る処理を実施するものであることを特徴とする請求項１〜３のいずれかに記載のＤＳＰ装備装置。
【請求項５】
請求項４記載のＤＳＰ装備装置を装備するコンテンツ処理装置。
【請求項６】
外部からのクリア信号によりクリアされる状態フラグを、実装済みのプログラムをＡＬＵにおいて第１の時間の経過ごとに実行することにより、セットするＤＳＰに対し、
前記ＤＳＰへクリア信号を送って前記ＤＳＰに前記状態フラグをクリアさせるクリア強制ステップ、
前記クリア強制ステップにおいてクリア信号を前記ＤＳＰへ送ってから前記第１の時間以上の第２の時間が経過した後、前記状態フラグの状態を前記ＤＳＰから読込むフラグ読込みステップ、
読込んだ前記状態フラグがセット状態にあるか否かを判定する判定ステップ、及び
前記判定ステップにおける判定の正否により前記ＤＳＰの動作がそれぞれ正常又は異常であると判断する動作判断ステップ、
を備えることを特徴とするＤＳＰ監視方法。
【発明の詳細な説明】
【技術分野】
【０００１】
本発明は、装備したＤＳＰについてその動作状態を検査するＤＳＰ装備装置、コンテンツ再生装置及びＤＳＰ監視方法に関する。
【背景技術】
【０００２】
ＭＰ３等のファイルから楽曲を再生するオーディオ装置はＤＳＰ（Digital Signal Processor）を装備し、該ＤＳＰにおいて、メモリから読込んだデータのデコードやイコライザ処理等のオーディオ処理を行っている。ＤＳＰは、静電気等の要因により動作が異常になって、正常処理が困難になることがある。ＤＳＰが異常状態にある場合は、楽曲再生中にもかかわらずスピーカ等の放音器が無音になったり、ノイズ音が大幅に増大したりするので、ユーザは、オーディオ装置を正常の動作に復帰させるために、電源を切にしてから再度、入にして、ＤＳＰを再起動する必要がある。
【０００３】
特許文献１は、交換機の製造時に交換機内のＤＳＰが正常に動作するか否かを検査する動作確認方法を開示する（特許文献１の段落００１１）。該動作確認方法では、ＣＰＵは、動作確認プログラムをＤＳＰを転送してから、ＤＳＰへリセット信号を送って、ＤＳＰに該動作確認プログラムを実行させ、その後、ＤＳＰの所定領域からデータを読込んで、該データに基づきＤＳＰの動作が正常であるか否かを判別している（特許文献１の図５及び段落００２５）。
【０００４】
特許文献２は、着脱可能な記録媒体へ画像データを記録中に、記録媒体が外されたりして、記録が失敗した場合にも、画像データの消失を回避する画像記録装置を開示する（特許文献２の段落０００３及び０００５）。該画像記録装置としてのデジタルカメラでは、着脱可能な記録媒体としての外部メディアへの画像データの記録が失敗した場合には、内蔵フラッシュメモリに画像データ及びステート（状態）情報を保存し（特許文献２の図３のＳ３３０ＮＯ→Ｓ３４０）、成功した場合には、ステート情報をクリアする（特許文献２の図３のＳ３３０ＹＥＳ→Ｓ３５０）。そして、次に、外部メディアへの記録が可能となる状況になりしだい、ステート情報から保存が未完了であるか否かを調べ、未完了であれば、内蔵フラッシュメモリに保存しておいた画像データを外部メディアへ保存するようにしている（特許文献２の図４のＳ４３０ＹＥＳ→Ｓ４４０→Ｓ４７０）。
【特許文献１】特開２００６−１１５０５３号公報
【特許文献２】特開２００７−３００４７４号公報
【発明の開示】
【発明が解決しようとする課題】
【０００５】
特許文献１のＤＳＰ動作確認装置では、ＣＰＵは、最初に、動作確認プログラムをＤＳＰへ転送し、次に、ＤＳＰに該動作確認プログラムを実行させるために、ＤＳＰをリセットする必要がある。ＤＳＰは、リセットされると、再起動して、プログラムカウンタを初期値にして、該初期値に対応する動作確認プログラムを実行開始するが、ＤＳＰが正常に動作していても、ＤＳＰの再起動に伴い、再起動前に実施中のプログラム及びデータがすべてクリアされてしまうので、再起動後は、再起動前のプログラムを最初からやり直す必要がある。
【０００６】
したがって、特許文献１の動作確認装置は、製品出荷前の工場において該製品に装備されているＤＳＰが正常に動作するか否かについての試験としては適用可能であるが、例えばオーディオプレーヤにおいて、ユーザが楽曲を再生している期間に、ＤＳＰの動作が正常か否かを検査する動作確認装置には不向きである。
【０００７】
特許文献２のステート（状態）情報は、外部メディアへの画像データの記録が失敗したために、該画像データを内蔵フラッシュメモリに一時的に保存しておき、該一時保存中の画像データについて、その後、外部メディアへの保存を済ましたか否かを調べる情報である。特許文献２は、ＤＳＰの動作確認において、状態情報を具体的にどのようなものに設定し、利用するかについては一切言及していない。
【０００８】
本発明の目的は、ＤＳＰが正常動作中にＤＳＰを再起動することなくＤＳＰの動作状態を判別することができるＤＳＰ装備装置、コンテンツ再生装置及びＤＳＰ監視方法を提供することである。
【課題を解決するための手段】
【０００９】
本発明によれば、ＤＳＰは、所定のプログラムを実装し、該プログラムを、時間割込み等を使って第１の時間の経過ごとにＡＬＵ（演算装置：Arithmetic and Logic Unit）において実行するようにする。該プログラムは、その実行により状態フラグをセットするものであり、該状態フラグは外部からのクリア信号によりクリアされるように設定される。そして、該ＤＳＰへクリア信号を送って、状態フラグをクリアした後、第２の時間（≧第１の時間）が経過してから、状態フラグの状態を読込む。状態フラグがセット状態であれば、ＤＳＰは正常に動作していると判断し、状態フラグがクリア状態であるならば、ＤＳＰが異常状態になっていると判断する。
【００１０】
本発明のＤＳＰ装備装置は次のものを備えている。
外部からのクリア信号によりクリアされる状態フラグを、実装済みのプログラムをＡＬＵにおいて第１の時間の経過ごとに実行することにより、セットするＤＳＰ、
前記ＤＳＰへクリア信号を送って前記ＤＳＰに前記状態フラグをクリアさせるクリア強制手段、
前記クリア強制手段がクリア信号を前記ＤＳＰへ送ってから前記第１の時間以上の第２の時間が経過した後、前記状態フラグの状態を前記ＤＳＰから読込むフラグ読込み手段、
読込んだ前記状態フラグがセット状態にあるか否かを判定する判定手段、及び
前記判定手段の判定の正否により前記ＤＳＰの動作が正常又は異常であると判断する動作判断手段、
【００１１】
本発明のコンテンツ処理装置は、前述のＤＳＰ装備装置であってＤＳＰのＡＬＵにおいてコンテンツの再生に係る処理を実施するＤＳＰ装備装置を装備する。
【００１２】
本発明のＤＳＰ監視方法は、外部からのクリア信号によりクリアされる状態フラグを、実装済みのプログラムをＡＬＵにおいて第１の時間の経過ごとに実行することにより、セットするＤＳＰを監視対象とするとともに、次のステップを備える。
前記ＤＳＰへクリア信号を送って前記ＤＳＰに前記状態フラグをクリアさせるクリア強制ステップ、
前記クリア強制ステップにおいてクリア信号を前記ＤＳＰへ送ってから前記第１の時間以上の第２の時間が経過した後、前記状態フラグの状態を前記ＤＳＰから読込むフラグ読込みステップ、
読込んだ前記状態フラグがセット状態にあるか否かを判定する判定ステップ、及び
前記判定ステップにおける判定の正否により前記ＤＳＰの動作が正常又は異常であると判断する動作判断ステップ。
【発明の効果】
【００１３】
本発明によれば、外部からのクリア信号によりクリアされる状態フラグをＤＳＰ内に設定し、ＤＳＰのＡＬＵにおいて第１の時間の経過ごとに状態フラグをセットするプログラムをＤＳＰに実装する。そして、状態フラグをクリアしてから第２の時間（≧第１の時間）経過後に状態フラグの状態を検査して、ＤＳＰの動作が正常か異常かを判別するので、ＤＳＰの動作が正常か異常かを、ＤＳＰを再起動することなく、すなわちＤＳＰの正常期間にＤＳＰが実施中の処理をクリフすることなく、ＤＳＰの動作状態を検査することができる。
【発明を実施するための最良の形態】
【００１４】
図１はオーディオ再生装置１０の主要部ブロック図である。オーディオ再生装置１０は、ＤＳＰ１１、制御装置１２及びＤ／Ａ（デジタル／アナログ）変換器１３を備えている。ＤＳＰ１１は、ＡＬＵ１８、ＲＡＭ（Random Access Memory）１９及びＩ／Ｆ部２０を備えている。
【００１５】
ＡＬＵ１８は、さらに、音声処理部２４及び状態フラグ処理部２５を備えている。楽曲の再生時では、ＭＰ３やＷＭＡ等のファイルデータが、図示していないフラッシュメモリやハードディスク装置等のメモリから読込まれ、音声処理部２４へ供給される。音声処理部２４は、それらデータに基づき所定のオーディオ処理を実施して、デジタルのオーディオ再生信号を生成する。該オーディオ処理には、エラー訂正、デコード及びデジタルイコライザ等の処理が含まれている。音声処理部２４から出力されたオーディオ再生信号は、Ｄ／Ａ変換器１３へ送られて、アナログのオーディオ再生信号へ変換され、さらに、図示していないスピーカやヘッドホンへ送られてから、再生音へ変換されて、出力される。
【００１６】
ＲＡＭ１９、Ｉ／Ｆ部２０、音声処理部２４及び状態フラグ処理部２５は、メインバス２８を介して相互に接続され、メインバス２８を介してデータを送受自在になっている。ＲＡＭ１９は状態フラグを格納しており、状態フラグ処理部２５は、ＡＬＵ１８の正常時では、一定時間Ｔ１（例：５ｍｓｅｃ）ごとの時間割込みで実行され、ＲＡＭ１９の状態フラグをセットする。Ｉ／Ｆ部２０は、一方においてメインバス２８へ接続されているとともに、他方において制御装置１２のＩ／Ｆ部３５へ接続されて、該Ｉ／Ｆ部３５との間でデータを送受する。
【００１７】
制御装置１２は、ＣＰＵ３４、Ｉ／Ｆ部３５及びＩ／Ｏポート部３６を有している。制御信号線４１はＩ／Ｏポート部３６をＤＳＰ１１のクリア用及びリセット用のポートへ接続する。ＣＰＵ３４はＤＳＰ監視処理部３７を有している。Ｉ／Ｆ部３５、Ｉ／Ｏポート部３６及びＤＳＰ監視処理部３７は、メインバス３９により相互に接続され、メインバス３９を介してデータを送受自在になっている。
【００１８】
ＤＳＰ監視処理部３７は、一定時間Ｔ２（ただしＴ２≧Ｔ１。例：Ｔ２＝２００ｍｓｅｃ。）ごとに、Ｉ／Ｆ部２０，３５を介してＲＡＭ１９の状態フラグを読込むとともに、読込んだ状態フラグの状態を調べる。そして、ＤＳＰ監視処理部３７は、状態フラグがセット状態にあるならば、Ｉ／Ｏポート部３６及び制御信号線４１を介してＤＳＰ１１へクリア信号を送り、また、状態フラグがクリア状態にあるならば、Ｉ／Ｏポート部３６及び制御信号線４１を介してＤＳＰ１１へリセット信号を送る。
【００１９】
図２はＤＳＰ１１の動作確認に関連してオーディオ再生装置１０の各部で行われる処理のタイミングチャートである。ＤＳＰ１１の状態フラグ処理のパルスは、状態フラグ処理部２５の実行期間を示している。該パルスの立下り時に、ＲＡＭ１９の状態フラグはセットされる。すなわち、ＲＡＭ１９の状態フラグは、該パルスの立下り時に、”０”（＝クリア状態）にあるならば、”１”（＝セット状態）へ切替えられ、”１”にあるならば、そのまま”１”に維持される。
【００２０】
一方、制御装置１２のＤＳＰ監視処理部３７におけるパルスは、ＤＳＰ監視処理部３７の実行期間を示している。ＤＳＰ監視処理部３７は、その実行期間においてＤＳＰ１１のＲＡＭ１９から状態フラグを読込み、状態フラグが”１”及び”０”のいずれにあるかを調べる。そして、状態フラグ＝”１”であるならば、処理終了時（該パルスの立下り時）にクリア信号をＤＳＰ１１へ送り、状態フラグ＝”０”であるならば、処理終了時にリセット信号をＤＳＰ１１へ送る。
【００２１】
ＡＬＵ１８は、時刻ｔ１までは正常に動作しており、ＡＬＵ１８の状態フラグ処理部２５は、時間Ｔ１ごとに実行されて、状態フラグをセットする。図２では、ＡＬＵ１８が時刻ｔ１と、時刻ｔ１から時間Ｔ１が経過した時刻までの間に静電気等の原因により異常状態になったと、想定している。ＡＬＵ１８は、例えば音声処理部２４について無限ループ等に陥ったことに因る異常状態となっており、状態フラグ処理部２５を実施できない状況になっている。
【００２２】
なお、ＡＬＵ１８が異常状態時でも、ＤＳＰ１１は、制御装置１２からの要求によりＲＡＭ１９の状態フラグを制御装置１２へ送ったり、制御装置１２から制御信号線４１を介してクリア信号やリセット信号を受けて、状態フラグをクリアしたり、自分自身をリセット（再起動）したりすることは可能になっている。
【００２３】
ＤＳＰ１１が異常状態になってからのＤＳＰ監視処理部３７の最初の実行では、時刻ｔ１における状態フラグのセットのために、ＤＳＰ１１は正常状態であると判断され、ＤＳＰ監視処理部３７の終了時の時刻ｔ２において、ＲＡＭ１９の状態フラグがクリアされる。しかし、時刻ｔ２の後、ＡＬＵ１８の動作異常状態のために、状態フラグ処理部２５が実施されないので、状態フラグは時刻ｔ２以降、セットされることはない。
【００２４】
ＡＬＵ１８が異常状態になってからＤＳＰ監視処理部３７の２回目の実行の時刻ｔ３が到来し、時刻ｔ３においてＡＬＵ１８が実行開始される。しかしながら、この時には、ＲＡＭ１９の状態フラグがクリア状態にあるので、ＡＬＵ１８は異常状態にあると判断される。この結果、ＤＳＰ監視処理部３７の実行終了時の時刻ｔ４では、制御装置１２は、ＤＳＰ１１へクリア信号に代えてリセット信号を送る。
【００２５】
ＤＳＰ１１は、時刻ｔ４におけるリセット信号によりリセットされ、すなわち再起動し、時刻ｔ５において再起動が終了する。ＣＰＵ３４は、時刻ｔ５から、ＤＳＰ１１の再起動に対処した処理を実施する。すなわち、ｔ５において、ＤＳＰ１１のプログラムカウンタは０になり、ＤＳＰ１１内の各種レジスタも初期設定値になるので、ｔ５からのＤＳＰ監視処理部３７におけるＤＳＰ再起動処理には、Ｉ／Ｆ部３５を経由してＤＳＰ１１内の各種レジスタの値を所望値に設定したり、Ｉ／Ｆ部３５を経由して音声処理プログラムや状態フラグ処理プログラム等のプログラムをＤＳＰ１１へ再送したり、ＤＳＰ１１が該プログラムを実行するようにＩ／Ｆ部３５を経由してＤＳＰ１１へプログラム開始用コマンドを送信したりすることが含まれる。
【００２６】
図３は制御装置１２のＤＳＰ監視処理部３７が実施するＤＳＰ監視処理方法５０のフローチャートである。ＤＳＰ監視処理方法５０は、時間Ｔ２が経過するごとに、ＤＳＰ監視処理部３７（図１）が実行し、実行開始タイミング及び実行期間は図２における制御装置１２のＤＳＰ監視処理部３７の行の各パルスに対応している。
【００２７】
Ｓ５１では、ＤＳＰ１１のＲＡＭ１９の状態フラグを検出する。Ｓ５２では、検出した状態フラグが”１”（＝セット状態）及び”０”（＝クリア状態）のいずれであるかを判別する。そして、”１”と判別した場合には、すなわち、ＤＳＰ１１の動作が正常であると判断した場合には、Ｓ５３へ進む。また、”０”と判別した場合には、なわち、ＤＳＰ１１の動作に異常が生じていると判断した場合には、Ｓ５４へ進む。
【００２８】
Ｓ５３では、制御装置１２からＤＳＰ１１へクリア信号を送り、ＲＡＭ１９の状態フラグをクリアする。Ｓ５４では、制御装置１２からＤＳＰ１１へリセット信号を送り、ＤＳＰ１１を再起動する。ＤＳＰ１１は、再起動の結果、無限ループから開放されて、正常状態に戻る。
【００２９】
図４はＤＳＰ装備装置６０の構成図である。ＤＳＰ装備装置６０の具体例は図１のＤＳＰ１１及び制御装置１２から構成される部分である。ＤＳＰ装備装置６０は例えばコンテンツ処理装置に装備される。この場合、ＡＬＵでは、コンテンツの再生に係る処理を実施する。コンテンツ処理装置の具体例としては、オーディオ再生装置１０の他、ビデオ再生装置、デジタルチューナ、及びデジタル通信機等に装備することもできる。オーディオ再生装置１０ではＤＳＰ１１のＡＬＵ１８は音声処理部２４において楽曲の再生に係る音声処理を行っている。
【００３０】
ＤＳＰ装備装置６０は、ＤＳＰ６１、クリア強制手段６２、フラグ読込み手段６３、判定手段６４及び動作判断手段６５を備える。ＤＳＰ装備装置６０は、さらに、再起動強制手段６８を備えることもできる。ＤＳＰ６１は、外部からのクリア信号によりクリアされる状態フラグを設定して、実装済みのプログラムをＡＬＵにおいて第１の時間の経過ごとに実行することにより状態フラグをセットする。
【００３１】
クリア強制手段６２は、ＤＳＰ６１へクリア信号を送ってＤＳＰ６１に状態フラグをクリアさせる。フラグ読込み手段６３は、クリア強制手段６２がクリア信号をＤＳＰ６１へ送ってから第１の時間以上の第２の時間が経過した後、状態フラグの状態をＤＳＰ６１から読込む。判定手段６４は、読込んだ状態フラグがセット状態にあるか否かを判定する。動作判断手段６５は、判定手段６４の判定が正及び否である場合に、ＤＳＰ６１の動作がそれぞれ正常及び異常であると判断する。
【００３２】
ＤＳＰ６１の具体例はＤＳＰ１１であり、ＤＳＰ６１におけるＡＬＵの具体例はＡＬＵ１８である。ＡＬＵ１８は、音声処理部２４によりデジタルイコライザ処理を含む音声処理を実施しているが、ＤＳＰ６１のＡＬＵは、該オーディオ処理以外のビデオ処理を実施するものであってもよい。ＤＳＰ６１のＡＬＵにおいて第１の時間の経過ごとに実行する状態フラグセットプログラムは例えば時間割込みにより実行される。オーディオ再生装置１０では、第１及び第２の時間はそれぞれ時間Ｔ１，Ｔ２に対応し、時間Ｔ１，Ｔ２はそれぞれ例えば５ｍｓｅｃ及び２００ｍｓｅｃに設定されている。クリア強制手段６２、フラグ読込み手段６３、判定手段６４及び動作判断手段６５の具体例は、図１のＣＰＵ３４のＤＳＰ監視処理部３７である。
【００３３】
ＡＬＵが正常に動作している場合には、状態フラグセットプログラムは、第１の時間の経過ごとに正常に動作して、状態フラグを第１の時間の経過ごとにセットする。これに対して、ＡＬＵが無限ループ等に陥って、動作が異常状態になっている場合には、状態フラグセットプログラムは、第１の時間の経過ごとの実行が困難となり、状態フラグは、ＤＳＰ６１がクリア強制手段６２からクリア信号を受けた後、第１の時間が経過したにもかかわらずセットされないことになる。したがって、クリア強制手段６２がＤＳＰ６１へクリア信号を送ってから、第２の時間が経過した後に、フラグ読込み手段６３が読込む状態フラグの状態は、ＡＬＵが正常に動作していれば、セット状態であり、ＡＬＵの動作に異常が起きている場合には、クリア状態になっている。こうして、動作判断手段６５は状態フラグの状態に基づきＤＳＰ６１の正常及び異常を判別することができる。
【００３４】
ＤＳＰ装備装置６０では、ＤＳＰ６１を再起動することなく、ＤＳＰ６１の動作についての正常及び異常を検出することができるので、ＤＳＰ６１が正常動作している時に実施している処理が、ＤＳＰ６１の動作検査のためにクリアされて、再開後に最初からやり直しという事態を回避することができる。
【００３５】
典型的には、再起動強制手段６８は、判定手段６４の判定が否であるならば、ＤＳＰ６１を再起動させる。これにより、ＤＳＰ６１は、それが無限ループ等に陥っていて、異常動作状態になっている場合に、正常動作状態に復帰することができる。
【００３６】
典型的には、クリア強制手段６２は、判定手段６４が正と判定するごとにクリア信号をＤＳＰ６１へ送る。この具体例は、図２における制御装置１２のＤＳＰ監視処理部３７からＤＳＰ状態フラグへのクリアである。図２のクリアは、図２の２行目のパルス波形のように、制御装置１２のＤＳＰ監視処理部３７が、状態フラグが”１”（＝正常状態）と判別した時、ＤＳＰ１１へ送るようになっている。そして、この場合は、ＤＳＰ１１の正常動作期間では、ＤＳＰ監視処理部３７が実行される時間間隔とクリア信号が送出される時間間隔とは共に第２の時間となっている。
【００３７】
図５はＤＳＰ監視方法７５のフローチャートである。ＤＳＰ監視方法７５は、図４のＤＳＰ６１を処理対象にしている。図３のＤＳＰ監視処理方法５０はＤＳＰ監視方法７５の一例である。Ｓ７６では、ＤＳＰ６１へクリア信号を送って、ＤＳＰ６１に状態フラグをクリアさせる。Ｓ７７では、Ｓ７６においてクリア信号をＤＳＰ６１へ送ってから、第１の時間以上の第２の時間が経過したか否かを判定し、判定が正になるのに伴い、Ｓ７８へ進む。
【００３８】
Ｓ７８では、状態フラグの状態をＤＳＰ６１から読込む。Ｓ７９では、読込んだ状態フラグがセット状態にあるか否かを判定し、判定が正であるならば、Ｓ８０へ進み、否であるならば、Ｓ８１へ進む。Ｓ８１では、ＤＳＰ６１の動作が正常であると判断する。Ｓ８２では、ＤＳＰ６１の動作が異常であると判断する。
【００３９】
ＤＳＰ監視方法７５のステップとＤＳＰ装備装置６０の手段との関係について、Ｓ７６はクリア強制手段６２に対応し、Ｓ７７，Ｓ７８はフラグ読込み手段６３に対応し、Ｓ７９は判定手段６４に対応し、Ｓ８０，Ｓ８１は動作判断手段６５に対応する。ＤＳＰ装備装置６０の各手段の機能について述べた具体的態様は、それに対応するステップの処理の具体的態様としても適用可能である。ＤＳＰ監視方法７５には、ＤＳＰ装備装置６０の再起動強制手段６８の機能に対応するステップを付加することができる。該ステップは、Ｓ８１の後に付加される。
【００４０】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００４１】
【図１】オーディオ再生装置の主要部ブロック図である。
【図２】ＤＳＰの動作確認に関連してオーディオ再生装置の各部で行われる処理のタイミングチャートである。
【図３】制御装置のＤＳＰ監視処理部が実施するＤＳＰ監視処理方法のフローチャートである。
【図４】ＤＳＰ装備装置の構成図である。
【図５】ＤＳＰ監視方法のフローチャートである。
【符号の説明】
【００４２】
６０：ＤＳＰ装備装置、６１：ＤＳＰ、６２：クリア強制手段、６３：フラグ読込み手段、６４：判定手段、６５：動作判断手段、６８：再起動強制手段、７５：ＤＳＰ監視方法。
【図１】
2009271871.tif 000003
【図２】
2009271871.tif 000004
【図３】
2009271871.tif 000005
【図４】
2009271871.tif 000006
【図５】
2009271871.tif 000007